(57)【特許請求の範囲】
【請求項１】
駆動源としてのモータを内蔵している本体に、毛を引き抜く脱毛手段を備えた脱毛用ヘッドと、毛の切断用ヘッドとを選択的に着脱自在としている美容器具であって、本体に内蔵されたモータの回転軸には回転係合部が圧入固定されて、上記切断用ヘッドと脱毛用ヘッドとは共に本体に設けた単一の上記回転係合部から動力を受けるものであり、ギア列を内蔵した駆動ブロックと駆動ブロックを介して回転駆動されて毛を引き抜くための回転シリンダーとを備えて、これら回転シリンダーと駆動ブロックとが脱毛用ヘッドのケーシング内で弾性支持されている上記脱毛用ヘッドは、本体への装着時に上記回転係合部に軸方向から係合して回転係合部の回転を受けるとともに本体の回転係合部に回転軸方向にスライド自在に係合する回転入力部を備えていることを特徴とする美容器具。
【請求項２】
脱毛用ヘッドは、脱毛用手段として回転駆動される回転シリンダーに設けられて回転シリンダーの軸方向開閉で毛を挟む複数の脱毛爪を備えたものであり、本体に設けた回転係合部は上記回転シリンダーの回転軸の略軸中心上を通る位置にあることを特徴とする請求項１記載の美容器具。
【請求項３】
切断用ヘッドは本体の回転係合部に係合する回転入力部に回転を往復動に変換するための部材である偏芯カムを一体に備えていることを特徴とする請求項１記載の美容器具。
【請求項４】
切断用ヘッドは薄肉ヒンジを設けた往復駆動子を具備して、脱毛用ヘッドとは異なる回転数で最終出力を行うものであることを特徴とする請求項１または３記載の美容器具。
【発明の詳細な説明】
【０００１】
【発明の属する技術分野】
本発明は体毛を処理を行うための美容器具に関するものである。
【０００２】
【従来の技術】
特願平１１−２７３３９７号や米国特許第４９６０４２２号明細書には、掃除性を良くしたり、切断用ヘッドへの交換を可能とするために脱毛用ヘッドを本体に対して着脱自在にしたものが示されている。前者は切断用ヘッドと脱毛用ヘッドを切り替えるために、脱毛用ヘッドを本体ケーシングに着脱可能としている。このとき、本体ケーシングに設けた歯車と脱毛用ヘッドに設けた歯車とを連結して脱毛用ヘッド内の脱毛手段を備えた回転シリンダーを回転駆動させるようにしている。
【０００３】
後者も同様に、本体ケーシングに設けた歯車と脱毛用ヘッドに設けた歯車とを連結して回転シリンダーを回転駆動させるようにしている。
【０００４】
また回転シリンダーが駆動ケースとともに本体ケーシングに対してフロート可能としたものに、特公平７−１７７９２７号公報に記載のものがある。この脱毛装置は回転シリンダーとモータを内臓した駆動ケースを本体ケーシングに対して、肌の押し付け方向と回転シリンダーの回転軸方向にフロート自在としている。
【０００５】
【発明が解決しようとする課題】
しかし、上記従来例では、本体側における出力部が歯車で構成され、脱毛用ヘッド側の入力部が同じく歯車で構成されて、両歯車の噛み合いで本体側から脱毛用ヘッド側の回転伝達がなされるようになっており、軸間距離をあわせることが難しかったり、駆動負荷によって本体内の歯車から振動が発生して本体ケーシングに振動伝搬されて騒音や振動が発生するといった問題を有している。
【０００６】
本発明はこのような点に鑑みなされたものであって、その目的とするところは脱毛用ヘッドを本体に着脱自在としているものにおける振動や駆動音を小さくできる美容器具を提供するにある。
【０００７】
【課題を解決するための手段】
上記課題を解決するために本発明に係る美容器具は、駆動源としてのモータを内蔵している本体に、毛を引き抜く脱毛手段を備えた脱毛用ヘッドと、毛の切断用ヘッドとを選択的に着脱自在としている美容器具であって、本体に内蔵されたモータの回転軸には回転係合部が圧入固定されて、上記切断用ヘッドと脱毛用ヘッドとは共に本体に設けた単一の上記回転係合部から動力を受けるものであり、ギア列を内蔵した駆動ブロックと駆動ブロックを介して回転駆動されて毛を引き抜くための回転シリンダーとを備えて、これら回転シリンダーと駆動ブロックとが脱毛用ヘッドのケーシング内で弾性支持されている上記脱毛用ヘッドは、本体への装着時に上記回転係合部に軸方向から係合して回転係合部の回転を受けるとともに本体の回転係合部に回転軸方向にスライド自在に係合する回転入力部を備えていることに特徴を有している。本体から脱毛用ヘッドへの回転伝達部を歯車の噛み合わせではなく、軸方向から係合して回転伝達を行う回転係合部と回転入力部とで行うようにしたものである。
【０００８】
脱毛用ヘッドは、脱毛用手段として回転駆動される回転シリンダーに設けられて回転シリンダーの軸方向開閉で毛を挟む複数の脱毛爪を備えたものであり、本体に設けた回転係合部は上記回転シリンダーの回転軸の略軸中心上を通る位置にあることが好ましい。
【００１１】
また、切断用ヘッドは本体の回転係合部に係合する回転入力部に回転を往復動に変換するための部材である偏芯カムを一体に備えているものを好適に用いることができる。
【００１２】
また、切断用ヘッドは薄肉ヒンジを設けた往復駆動子を具備して、脱毛用ヘッドとは異なる回転数で最終出力を行うものであることが好ましい。
【００１５】
【発明の実施の形態】
以下本発明を実施の形態の一例に基づいて詳述すると、この美容器具は、モータ１１を内蔵している本体ケーシング１に対して、切断用ヘッド２Ｈと脱毛用ヘッド１Ｈの２種のへッドを選択的に装着することができるようにしたもので、本体ケーシング１は前面にスイッチ１０１が配されている本体ケーシング１は図３に示すように前後に２つ割りした半割ケーシング１０，１０を接合したもので、上端開口部はモータケース１２によって閉じられており、本体ケーシング１の下端には給電用のプラグ１００を備えている。なお、本体ケーシング１に電源である電池を内蔵したものであってもよい。
【００１６】
本体ケーシング１内に配設固定されているモータケース１２は、その下面側にモータ１１が固定されているもので、上面には左右一対の操作釦２６，２６が配されている。モータ１１の回転軸１１ａには異形断面となっている回転係合部１３が圧入固定されている。
【００１７】
平面視略矩形をした各操作釦２６は、内側片部の内面にフック２６ａを備えるほか、ストッパ用突部２６ｂを突出したもので、モータケース１２に設けたトンネル部１２ａにスライド自在にはめ込まれた時、ストッパ用突部２６ｂをモータケース１２に係合させることで、トンネル部１２ａに装着される。ストッパ用突部２６ｂで抜け止めされた一対の操作釦２６，２６間にはスプリング２７ｄを介在させており、このためにスプリング２７ｄによって両操作釦２６，２６は外側に向けて弾性付勢されている。そして両操作釦２６の外側端部は本体ケーシング１に設けた孔１０ａを通じて本体ケーシング１の外側方に突出する。
【００１８】
次に脱毛用ヘッド１Ｈであるが、これは図４〜図６に示すように、回転シリンダー４と回転シリンダー４を軸支する基台８，９、歯車基台８１，９１、基台カバー９２、脱毛ケーシング３、カバーフレーム３１、釦基台６、そして回転伝達用の複数のギア列で構成されたものであり、歯車基台８１，９１と基台カバー９２及びこれらに装着されたギア列で駆動ブロックが形成されている。
【００１９】
軸方向において２つ割となっている回転シリンダー４は図７及び図８に示すように、円周方向に複数個（実施形態では４５°の間隔を置いて８箇所）の凹部４ａを備えて、各凹部４ａ内に脱毛用主体ユニット３２が嵌め込まれているもので、ここにおける脱毛用主体ユニット３２は図９に示すように、支点板３３と、複数（実施形態では４枚）の可動爪５ａと、一対のコの字状に曲げられた固定爪３６（実施形態では２対）と支点止め部材３４とで構成されている。支点板３３は中央部に支点止め嵌め込み用角孔３３ａを備え、その両側に支点止め嵌め込み用角孔３３ｂを備え、支点止め嵌め込み用角孔３３ａと両支点止め嵌め込み用角孔３３ｂとの間と、両支点止め嵌め込み用角孔３３ｂの各外方に、それぞれ可動爪嵌め込み用角孔３３ｃを備えている。そして両側に設けた支点止め部材３４によって固定爪３６も支点板３３に固定されている。また、支点止め部材３４には長手方向に孔３４ｄを設けてあり、図１０に示すように、支点止め部材３４と可動爪５ａとに挿通された軸４１によって支点止め部材３４と可動爪５ａの抜け止めがなされている。
【００２０】
また、開閉レバー３９ａ，３９ｂは、回転シリンダー４の回転軸方向両端に設けたそれぞれ８ヶ所の穴４ｃから回転軸方向に摺動自在に挿入されている。このとき開閉レバー３９ａ，３９ｂは径方向の内側に開閉レバー３９ａが、外側に開閉レバー３９ｂが円周方向に交互に挿入されている。また開閉レバー３９ａ，３９ｂの径方向に設けたリブ３９ａ，３９ｂの回転シリンダー４側には開閉レバー３９ａ，３９ｂを常に付勢するための板ばね３７０が設けられている。可動爪５ａに設けた突片５ｃが開閉レバー３９ａ，３９ｂに設けた溝３９２ａ，３９２ｂに嵌め込まれるが、図１０に示すように、各開閉レバー３９ａ，３９ｂには２枚の可動爪５ａの突片５ｃが嵌め込まれる。
【００２１】
このようにアセンブリとして組み立てられた複数の脱毛用主体ユニット３２を回転シリンダー４の各凹部４ａに嵌め込み、各列毎に交互に開閉レバー３９ａ，３９ｂに可動爪５ａの突片５ｃを開閉レバー３９ａ，３９ｂに設けた溝３９２ａ，３９２ｂに嵌め込ませて組み込まれている。
【００２２】
一方、基台８，９の回転シリンダー４用の軸５６ｊを受けている部分には、図４に示すローラ型のカム２９が軸２９ｊによって回転自在に取り付けられている。このカム２９は、軸５６ｊの両端が保持ばね３０で一定の荷重で付勢されており、回転シリンダー４が回転する時、回転シリンダー４の周方向に並んでいる複数本の開閉レバー３９ａ，３９ｂの上記他端を順次押して回転シリンダー４の軸方向に動かすことで、可動爪５ａを板ばね３０に抗して揺動させて、可動爪５ａと固定爪３６とからなる脱毛爪を閉じさせる。回転シリンダー４をその軸回りに回転させることで可動爪５ａを開閉させれば、可動爪５ａと固定爪３６で扶持した毛は回転シリンダー４の回転に伴って引き抜く動作を行うことになる。
【００２３】
回転シリンダー４の回転駆動は前述のモータ１１の回転で行われるが、回転シリンダー４への動力伝達は以下のようにして行われる。すなわち、脱毛用ヘッド１Ｈは基台カバー９２に設けたフック９２ａが前記モータケース１２に取り付けられた操作釦２６の角穴２６ｃ内に挿入されてフック固定される。
【００２４】
基台カバー９２は脱毛ケーシング３に設けた凹部に内蔵されており、凹部には基台カバー９２に設けたフック９２ａが突出するように開口部３ａを設けている。また基台カバー９２には略中央部に回転入力部１５を突出させるための穴９２をが設けている。歯車基台９１には中央に穴９１ａが設けられていて一端に回転入力部１５を取り付けている。回転入力部１５は歯車基台９１側にピニオン１６が軸１５ｊによって圧入固定されている。ピニオン１６は歯車基台８１，９１に軸１７ｊによって軸支された駆動ギア１７と噛み合い、駆動ギア１７と一体のフェイスギア１７ａが基台８，９に軸１８ｊで軸支された中間ギア１８と噛み合い、さらに中間ギア１８が回転シリンダー４に設けたギア４１ｇと噛み合っている。歯車基台８１に設けた角孔８１ａは中間ギア１８を突出させるためのものである。また歯車基台８１，９１は回転シリンダー４とは反対側の面よりねじで固定されている。
【００２５】
さらに、基台８１内には偏芯カム１９と一体のフェイスギア１９ａが配されていて、フェイスギア１９ａは中間ギア１８に一体に設けた小歯車１８ａと噛み合っている。上記偏芯カム１９は基台９の下面に設けた角型の凹部９ａに係合して基台８，９と回転シリンダー４とを回転シリンダー４の回転軸方向に往復動させる。これは脱毛効率を上げるためである。なお、基台８，９はねじによって連結固定されているが、基台９に設けた４箇所の穴９ｂによって歯車基台８１に軸８９ｊによって連結されている。
【００２６】
釦基台６は長手方向に着脱釦２８をばね２７を挟んで取り付けており、中央開口部に回転シリンダー４を設けた基台８，９を介して基台カバー９２にねじ止めされている。このとき着脱釦２８の長手方向の面２８ａは基台カバー９２の長手方向に設けたリブ９２ｃによって上方への抜け止めをしている。
【００２７】
歯車基台９１の下面にはフロートばね９３が設けられていて、歯車基台９１に設けたリブ９１ｂと基台カバー９２に設けた円形の凹部に嵌め込まれてずれないようにされている。また歯車基台８１の長手方向にもばね８９が基台カバー９２との間に設けられており、脱毛用ヘッド１Ｈの駆動部が脱毛ケーシング３に対して弾性支持されている。ここでカバーフレーム３１は釦基台６にばね付勢されて取り付けられた着脱釦２８によって取り付けられているために駆動部からの振動の伝搬がない。
【００２８】
回転シリンダー４を肌に押し付けるとばね９３，８９によりフロートし押し付け荷重を一定にすることができるが、このとき本体ケーシング１からの回転係合部１３と脱毛用ヘッド１Ｈの回転入力部１５とは回転軸方向にスライド自在であるとともに軸方向において隙間Ｓが設けられているために、回転シリンダー４が基台８，９と歯車基台８１，９１と共にフロートするとき、この隙間Ｓ間でスライドして駆動伝達を確保する。このような構成となっていることから、本体を小型にできるだけでなく騒音、振動も小さくすることができる。またフロートにより肌への追従性も良くすることができるため、脱毛効率も上げることができる。
【００２９】
図１１及び図１２は上記脱毛用ヘッド１Ｈに代えて切断用ヘッド２Ｈを本体ケーシング１に装着した状態を示している。この切断用ヘッド２Ｈは、図１３及び図１４にも示すように、切断用ヘッドユニットケース２０と、フレーム２１と、取付台２２、下面側に取り付け用係上部２３ａを備えた基台２３、外刃７７、内刃７４、トリマー刃Ｔ、そして往復駆動子６７とからなるもので、取付台２２に設けたボス２２ａに往復駆動子６７の両側端のＵ字形をなして弾性を有している薄肉ヒンジ６７ｂの先端部を固定しており、往復駆動子６７の上方に突出する駆動杆６７ｃに内刃７４が取り付けられているとともに該内刃７４を上方に付勢してフレーム２１で支持された外刃７７に内刃７４を押し付ける押し上げばね６８ｂが取り付けられている。図中７１は防塵ゴム、７２は押さえ板である。トリマー刃Ｔは往復駆動子６７に設けたトリマー駆動子６７Ｔによって駆動される。
【００３０】
また、切断用ヘッド２Ｈは、往復駆動子６７の下端に設けられた長孔６７ａと係合する偏心カム６９を上端に一体的に備えた回転入力部１４を備えている。この回転入力部１４は基台２３に回転自在に且つ上下方向には取付台２２と基台２３との間で係止されて組み込まれている
そして切断用ヘッド２Ｈは、その取り付け用係止部２３ａを本体ケーシング１の操作釦２６に係含させることで本体ケーシング１に装着されるものであり、この時、本体側の回転係合部１３に回転入力部１４が係合し、モータ１の回転が減速されることなく偏心カム６９に伝えられ、偏心カム６９の回転により偏心カム６９に長孔６７ａを係合させた往復駆動子６７は往復動を行い、内刃７４に往復直線運動を行わせる。
【００３１】
脱毛用ヘッド１Ｈの最終出力部である回転シリンダー４には減速して回転を伝達するが、切断用ヘッド２Ｈにの最終出力部である駆動子６７には減速せずに回転を伝えて往復動に変換させているものであり、各ヘッド１Ｈ，２Ｈは夫々最適な条件で駆動される。
【００３２】
そして、切断用ヘッド２Ｈと脱毛用ヘッド１Ｈとの両者に対する回転出力部となっている回転係合部１３は本体ケーシング１の上面中央部に位置させているとともに、回転シリンダー４の回転軸の略軸中心上を通る位置にある。このために、本体１内の偏重量のバランスが良く、脱毛用ヘッド１Ｈ及び切断用ヘッド２Ｈの駆動負荷の影響によって本体内で発生する振動及び騒音が小さくなっている。
【００３３】
【発明の効果】
以上のように本発明においては、駆動源としてのモータを内蔵している本体に、毛を引き抜く脱毛手段を備えた脱毛用ヘッドと、毛の切断用ヘッドとを選択的に着脱自在としている美容器具であって、本体に内蔵されたモータの回転軸には回転係合部が圧入固定されて、上記切断用ヘッドと脱毛用ヘッドとは共に本体に設けた単一の上記回転係合部から動力を受けるものであり、ギア列を内蔵した駆動ブロックと駆動ブロックを介して回転駆動されて毛を引き抜くための回転シリンダーとを備えて、これら回転シリンダーと駆動ブロックとが脱毛用ヘッドのケーシング内で弾性支持されている上記脱毛用ヘッドは、本体への装着時に上記回転係合部に軸方向から係合して回転係合部の回転を受けるとともに本体の回転係合部に回転軸方向にスライド自在に係合する回転入力部を備えているために、
本体に対して選択的に着脱自在とされた切断用ヘッドと脱毛用ヘッドへの回転伝達部を歯車の噛み合わせではなく、軸方向から係合して回転伝達を行う回転係合部と回転入力部とで行われるものであり、歯車同士の噛み合いのように軸間距離が問題となってしまうようなことがなく、切断用ヘッドと脱毛用ヘッドのいずれを装着した時にも低駆動音低振動で駆動することができ、小型化することもできるものであり、しかもギア列を内蔵した駆動ブロックと駆動ブロックを介して回転駆動されて毛を引き抜くための回転シリンダーとを備えている脱毛用ヘッドは、回転シリンダーと駆動ブロックとが脱毛用ヘッドのケーシング内で弾性支持されていることから、脱毛用ヘッドの装着時の振動や騒音をさらに小さくすることができるものであり、また、本体の回転係合部と、脱毛用ヘッドの回転入力部とは回転軸方向にスライド自在に係合していることから、駆動ブロックが上記弾性支持によってフロートする際にも問題なく動力伝達を行うことができるとともに、騒音が増加するようなこともない。
【００３６】
また、切断用ヘッドは本体の回転係合部に係合する回転入力部に回転を往復動に変換するための部材である偏芯カムを一体に備えていると、切断用ヘッドの駆動音も更に小さくすることができる。
【００３７】
また、切断用ヘッドは薄肉ヒンジを設けた往復駆動子を具備して、脱毛用ヘッドとは異なる回転数で最終出力を行うものであると、各ヘッドを最適な条件で使用することができる。
【図面の簡単な説明】
【図１】本発明の実施の形態の一例の縦断面図である。
【図２】同上の横断面図である。
【図３】同上の本体ケーシングの分解斜視図である。
【図４】同上の脱毛ヘッドの部分分解斜視図である。
【図５】同上の脱毛ヘッドの部分分解斜視図である。
【図６】同上の脱毛ヘッドの部分分解斜視図である。
【図７】同上の回転シリンダーの分解斜視図である。
【図８】同上の回転シリンダーの分解斜視図である。
【図９】同上の脱毛主体ユニットの分解斜視図である。
【図１０】同上の回転シリンダーの縦断面図である。
【図１１】切断用ヘッドを装着した状態の縦断面図である。
【図１２】同上の横断面図である。
【図１３】同上の部分分解斜視図図である。
【図１４】同上の部分分解斜視図である。
【符号の説明】
１  本体ケーシング
１Ｈ  脱毛用ヘッド
１１  モータ
１３  回転係合部
１５  回転入力部
【図１】
0004120247.tif 000002
【図２】
0004120247.tif 000003
【図３】
0004120247.tif 000004
【図４】
0004120247.tif 000005
【図５】
0004120247.tif 000006
【図６】
0004120247.tif 000007
【図７】
0004120247.tif 000008
【図８】
0004120247.tif 000009
【図９】
0004120247.tif 000010
【図１０】
0004120247.tif 000011
【図１１】
0004120247.tif 000012
【図１２】
0004120247.tif 000013
【図１３】
0004120247.tif 000014
【図１４】
0004120247.tif 000015